(57)【特許請求の範囲】
【請求項１】
プランジャと、前記プランジャをほぼ垂直方向に移動させるソレノイドを有し、前記プランジャにより複数の鍵に対してそれぞれ打鍵を行う複数のソレノイドユニットを具備する自動演奏装置において、
前記ソレノイドの周囲に配置され、一面が開放した箱状になされており、前記ソレノイドと協同して前記プランジャを移動させるヨークと、
前記ヨークよりも熱伝導性の良い材質から形成される熱伝導部材であって、前記ヨークと前記ソレノイドに挟持される挟持部と、前記挟持部における前記ヨークの開放側から延出する延出部とからなる熱伝導部材と
を具備することを特徴とする鍵盤楽器の自動演奏装置。
【請求項２】
前記ヨーク、前記熱伝導部材、または両者には、貫通穴が形成されていることを特徴とする請求項１に記載の鍵盤楽器の自動演奏装置。
【請求項３】
前記ヨーク、前記熱伝導部材、または両者に設けられるヒートパイプをさらに具備し、
前記ヒートパイプは、この自動演奏装置が設けられる鍵盤楽器の鍵の配列方向に延在していることを特徴とする請求項１に記載の鍵盤楽器の自動演奏装置。
【請求項４】
前記熱伝導部材の前記延出部は、この自動演奏装置が設けられる鍵盤楽器の棚板の上方側又は下方側に延出することを特徴とする請求項１に記載の鍵盤楽器の自動演奏装置。
【請求項５】
前記熱伝導部材の前記延出部は、この自動演奏装置が設けられる鍵盤楽器の鍵の後部側に延出することを特徴とする請求項１に記載の鍵盤楽器の自動演奏装置。
【発明の詳細な説明】
【０００１】
【発明の属する技術分野】
本発明は、ソレノイドとプランジャとヨークとを具備するソレノイドユニットにより、演奏データに対応した押鍵動作を行う鍵盤楽器の自動演奏装置に関する。
【０００２】
【従来の技術】
周知の通り、自動演奏ピアノは、通常のピアノと同様、回動自在に支持された複数の鍵と、これらの鍵の回動に応答して打弦を行うピアノアクションを有するとともに、フロッピーディスクなどの記憶媒体から再生される演奏データに従って各鍵の押鍵を行う自動演奏装置を備えている。この自動演奏装置は、一般に自動ピアノの各鍵に対応した複数のソレノイドユニットを有しており、各ソレノイドユニットは、ボビンにコイル巻線を巻回してなるソレノイドと、このソレノイドに挿入されたプランジャと、磁路の一部をなすヨークとにより構成されている。これらの各ソレノイドユニットは、自動演奏ピアノの各鍵の奥側の位置に、各々のプランジャを各鍵の回動端部に対向させて配置されている。
【０００３】
このような構成において、演奏データに従い、ある鍵に対応したソレノイドに駆動電流が流されると、この結果発生する磁界により、プランジャが当該鍵の回動端部に突き当てられ、押鍵動作が行われるのである。
【０００４】
【発明が解決しようとする課題】
ところで、自動演奏装置を構成する各ソレノイドユニットは、その近くにあるソフトペダルレバーやラウドペダルレバーと干渉しないようにする必要がある。
また、自動演奏装置は、既製のピアノに取り付けられる場合もある。このため、自動演奏装置の各ソレノイドユニットは小型であることが求められ、小さめのソレノイドが詰め込まれた小型のソレノイドユニットが自動演奏装置に用いられてきた。
【０００５】
このように小型のソレノイドユニットを用いていたため、従来の自動演奏装置は、駆動電流がソレノイドに流れることで発生するジュール熱をソレノイドユニットから外部に拡散するのが困難となり、ソレノイドユニット内部に熱が滞留し易いという問題を有していた。
【０００６】
また、特に同音連打を続けたり、部分的に同じフレーズを繰り返すような楽曲では、特定のソレノイドに頻繁に駆動電流を流すこととなり、ソレノイドユニット内部における熱の滞留が重大な問題となっている。
【０００７】
この様な問題を解決するための手段として、ファンによりソレノイドユニットを強制的に空冷し、ソレノイドユニット内部の熱の滞留を防ぐ方法が考えられる。  しかし、この方法を採用した場合、ソレノイドに駆動電流が供給される間、ファンを常時回転させなければならず、ファンの回転音がうるさい等の問題が生じる。
【０００８】
また、他の方法として温度センサによりソレノイドユニットの近傍の温度を常に監視し、基準温度以上になった場合にソレノイドへの駆動電流の供給を遮断し、ソレノイドユニットの温度上昇を防ぐ方法が挙げられる。
しかし、この方法を採用した場合、ソレノイドユニットの近傍の温度が基準温度以上になる度に、演奏が中断されるという問題が生じる。
【０００９】
さらに、以上説明した２つの方法は、いずれも自動演奏装置の大型化、複雑化、コストアップを招くという問題を生じる。
【００１０】
この発明は以上説明した事情に鑑みてなされたものであり、ソレノイドユニットにおける熱の滞留が回避された鍵盤楽器の自動演奏装置を提供することを目的とする。
【００１１】
【課題を解決するための手段】
この発明は、プランジャと、前記プランジャをほぼ垂直方向に移動させるソレノイドを有し、前記プランジャにより複数の鍵に対してそれぞれ打鍵を行う複数のソレノイドユニットとを具備する自動演奏装置において、前記ソレノイドと、前記ソレノイドの磁路の一部をなすヨークの隙間に空気よりも熱伝導性の良い物質を充填してなることを特徴とする鍵盤楽器の自動演奏装置を提供するものである。
【００１２】
かかる発明によれば、ソレノイドで発生したジュール熱は、ヨークとソレノイドの隙間に充填した空気よりも熱伝導性の良い物質を介して外部に拡散する。従って、ソレノイドで発生した熱は大部分が外部に拡散し、ソレノイドユニット内部における熱の滞留が回避される。
【００１３】
また、この発明は、プランジャと、前記プランジャをほぼ垂直方向に移動させるソレノイドを有し、前記プランジャにより複数の鍵に対してそれぞれ打鍵を行う複数のソレノイドユニットを具備する自動演奏装置において、前記ソレノイドの周囲に配置され、前記ソレノイドと協同して前記プランジャを移動させるヨークと、前記ヨークと接する位置に配置され、前記ヨークよりも熱伝導性の良い材質から形成される熱伝導部材とを具備することを特徴とする鍵盤楽器の自動演奏装置を提供するものである。
【００１４】
かかる発明によれば、ソレノイドで発生したジュール熱は、ヨークを介してヨークにおけるソレノイドと反対側の面上に配置された熱伝導性の良い熱伝導部材に伝達され、外部に拡散する。従って、ソレノイドで発生した熱は大部分が熱伝導部材を介して外部に拡散し、ソレノイドユニット内部における熱の滞留が回避される。
【００１５】
また、この発明は、プランジャと、前記プランジャをほぼ垂直方向に移動させるソレノイドを有し、前記プランジャにより複数の鍵に対してそれぞれ打鍵を行う複数のソレノイドユニットを具備する自動演奏装置において、前記ソレノイドの周囲に配置され、前記ソレノイドと協同して前記プランジャを移動させるヨークと、前記ヨークと前記ソレノイドの間に挟持され、前記ヨークよりも熱伝導性の良い材質から形成される熱伝導部材とを具備することを特徴とするの鍵盤楽器の自動演奏装置を提供するものである。
【００１６】
かかる発明によれば、ソレノイドで発生したジュール熱は、ヨークとソレノイドの間に挟持された熱伝導性の良い熱伝導部材を介して外部に拡散する。従って、ソレノイドで発生した熱は大部分が熱伝導部材を介して外部に拡散し、ソレノイドユニット内部における熱の滞留が回避される。
【００１７】
【発明の実施の形態】
以下、図面を参照して本発明の実施形態について説明する。
Ａ．第１実施形態
図１はこの発明の第１実施形態である自動演奏ピアノの構成を示す断面図である。この図１において、１は鍵であり、棚板２の上に図示せぬバランスピンを介して回動自在に支持されている。演奏者は、この鍵１の前端部（図示略）を押鍵して演奏する。この様な鍵１が、図面の表裏方向に複数並設され、鍵盤が構成されている。
【００１８】
鍵１の後端部の上方には、鍵１の動作に応じて弦を打撃する公知のハンマアクション機構（図示略）が設けられている。また、棚板２における鍵１の後端部の下方部分には、鍵１の配列方向に伸びる収納孔が形成されており、この収納孔に、鍵１ごとにソレノイドユニット３を備えた自動演奏装置Ｐが収納されている。
【００１９】
この自動演奏装置Ｐは、鍵１の後端部を押し上げることによって鍵１に押鍵動作を与えるもので、図２に示すように、支持体８０と、この支持体８０に鍵１の配列方向に向かって千鳥状に配置され、１つ１つの鍵１の後端部の下面に対向配置されているソレノイドユニット３とを有している。ここで、支持体８０は、例えばアルミニウムのように熱伝導性が良く、且つ剛性を有する材料によって構成されている。
【００２０】
次に、図３を参照してソレノイドユニット３の説明をする。図３（ａ）は１個のソレノイドユニット３を鍵１側から見た平面図であり、図３（ｂ）は図３（ａ）のＩ−Ｉ’線視断面図である。これらの図に示すように、ソレノイドユニット３は、ヨーク１００と、ソレノイド１０１と、プランジャ１０２と、コネクタ１０３とを有している。
【００２１】
ここで、ヨーク１００は、前面および背面が開口した直方体形状の部材であり、その上面には貫通穴１００ａが、下面には貫通穴１００ｂが形成されている。このヨーク１００は、ソレノイド１０１によって形成される磁界の磁路の一部を構成するものである。
【００２２】
ソレノイド１０１は、ボビン１０１ａに対してコイル巻線１０１ｂを巻回してなるものであり、ヨーク１００の内側の空室内に収納されている。コイル巻線１０１ｂは、コネクタ１０３を介して、図示しない駆動回路に接続されている。
【００２３】
プランジャ１０２は、その胴部１０２ａがヨーク１００の下面の貫通穴１００ｂを介してボビン１０１ａの貫通穴に挿通されている。このプランジャ１０２の胴部１０２ａの上面にはシャフト１０２ｂが起立している。このシャフト１０２ｂは、ヨーク１００の上面の貫通穴１００ｂから突き出しており、その先端部にはプランジャヘッド１０２ｃが取り付けられている。
【００２４】
そして、本実施形態におけるソレノイドユニット３では、ソレノイド１０１とこれを収納したヨーク１００の内壁との隙間に、熱伝導性が高く、かつ、電気的絶縁性の高い材料Ａが充填されている。この材料Ａは、熱伝導率ｋ（Ｗ／（ｍ・Ｋ））が空気よりも高く、ソレノイドユニット内の熱の滞留による不具合を防止できる材料（例えば、熱伝導率ｋ（０℃）≧１を満足するもの。なお、空気の熱伝導率ｋ（０℃）＝０．０２４）であり、かつ体積抵抗率ρ（Ω・ｍ）が高い材料（例えば、体積抵抗率ρ（０℃）が導電性である銅より高いもの。銅の体積抵抗率ρ（０℃）＝１．５５）であれば良い。
この条件を満足するものとして、例えばゴムや熱硬化性合成樹脂に金属粉や金属ウィスカを混合させたものを使用することができるが、理想的には熱伝導率ｋ（０℃）≧１０を満足する材料を使用することが望ましい。
【００２５】
この様に構成された自動演奏装置Ｐの作用を説明する。予め記録手段に記録された演奏データが、順次読み出される。この演奏データに基づき、図示せぬ駆動回路から駆動電流がコネクタ１０３を介しソレノイド１０１のコイルに供給されると、ソレノイド１０１の断面を巡回する磁場が発生する。その際、ヨーク１００が磁路として機能する。駆動電流によって発生した磁場により、プランジャ１０２に上方へ向かう力が作用し、プランジャヘッド１０２ｃは上動して鍵１の後端部を突き上げる。これによって、演奏者が押鍵動作をした場合と全く同様にハンマアクション機構が作動して楽音が奏される。この押鍵動作が終了すると、ソレノイド１０１への駆動電流の供給が停止され、プランジャ１０２は下動して元の位置に戻る。
【００２６】
さて、この自動演奏装置Ｐにおいて、駆動電流がソレノイド１０１に供給されると、ソレノイド１０１にジュール熱が発生する。このジュール熱は、熱伝導性が高く、かつ絶縁性の高い材料Ａを介してヨーク１００に伝わり、さらにソレノイドユニット３が取り付けられている熱伝導性の良い支持体８０へと伝えられる。
【００２７】
この様に、本実施形態によれば、自動演奏によりソレノイド１０１に発生する熱を上記材料Ａを介してソレノイドユニット３外部に拡散させることができる。特に、発熱するコイル１０１ｂ、上記材料Ａ，ヨーク１００がそれぞれ接しており、コイル１０１ｂの熱をヨーク１００に直接的に逃がすことができるため、ソレノイドユニット３における熱の滞留を回避することができる。従って、同音連打が続いたり、部分的に同じフレーズを繰り返し演奏するような場合でも、ソレノイドユニット３内部の温度が異常に上昇することはなく、演奏が中断されることはない。また、ソレノイド１０１の焼損も未然に防ぐことができる。
【００２８】
さらに、本実施形態においては支持体８０を熱伝導性の良い材料によって構成したため、より効率的にソレノイドユニット３から熱を拡散し、ソレノイドユニット３の放熱を行うことができる。
【００２９】
なお、以上説明した実施形態において、ヨーク１００の内側およびソレノイド１０１の外側に絶縁性の高い材料をコーテイングしてもよい。この場合には、ヨーク１００とソレノイド１０１との間に充填する材料Ａとして、熱伝導性が高い導電性の材料を用いることもできる。勿論、この場合においても、熱伝導性が高く、かつ、絶縁性の高い充填材Ａを使用し、ヨーク１００およびソレノイド１０１間の絶縁性を高めてもよい。
【００３０】
また、本実施形態においては、図２に示すように支持体８０に鍵１の配列方向に向かって左右交互にソレノイドユニット３を取り付けたが、図４に示すように支持体８０に鍵１の配列方向に向かって左右どちらか片側に一列にソレノイドユニット３を取り付けても良い。
【００３１】
Ｂ．第２実施形態
次に、図５は本発明の第２実施形態に係る自動演奏ピアノを示す側断面図である。同図に示すように、第２実施形態に係る自動演奏ピアノは、第１実施形態における自動演奏装置Ｐの代わりに自動演奏装置Ｐ２を鍵１の後端部の下方部分に配置した構成となっている。
【００３２】
この自動演奏装置Ｐ２は、鍵１の後端部を押し上げることによって鍵１に押鍵動作を与えるもので、上述した第１実施形態と同様に鍵１の配列方向に千鳥状に配列されたソレノイドユニット２０３と、ソレノイドユニット２０３を固定する固定ブラケット３００とを備えている。固定ブラケット３００は、鍵１の配列方向に延在する部材であり、両端部がこのピアノの側板に固定されることによって位置が固定されている。
【００３３】
ソレノイドユニット２０３は、ヨーク２００と、ソレノイド２０１と、プランジャ２０２と、高熱伝導部材２１０とを備えている。図５および図６に示すように、ヨーク２００は、断面Ｌ字状の上部ヨーク２２０と、平板状の下部ヨーク２２１とから構成されており、これらが組み合わせられて鍵１の後端側が開放した断面コ字状となるような状態で配置されている。また、ヨーク２００は、鍵１の配列方向に長く形成されており、上部ヨーク２２０の上面には千鳥状に複数の貫通穴２００ａが、下部ヨーク２２１には貫通穴２００ｂが形成されている。これらの千鳥状に形成された貫通穴２００ａおよび貫通穴２００ｂにプランジャ２０２が挿通させられている。すなわち、ヨーク２００は、複数のソレノイド２０１によって形成される磁界の磁路の一部を構成する共通ヨークとして機能するようになっている。このように複数のソレノイド２０１対して１つのヨーク２００を設けることにより、上部ヨーク２２０の背面側の部分を省略しても十分な磁路を構成することができる。従って、ヨーク２００の形状を図示のように背面側を開放した形状とすることが可能となり、ヨーク２００の内部に配置されるソレノイド２０１の発する熱のヨーク２００外部への放散性を向上させることができるとともに、ヨーク２００の軽量化が容易となる。また、ヨーク２００が図示のように開口した形状であるため、ヨーク２００の放熱性も向上し、ソレノイド２０１からヨーク２００に伝達された熱を効率よく外部に拡散させることができる。この場合、ヨーク２００に図示せぬ貫通穴を設け、この貫通穴に空気を流入させることにより、ヨーク２００の放熱性をさらに向上させるようにしてもよい。また、ヨーク２００の背面側が開放した形状となっているので、ヨーク２００内部に配置されたソレノイド２０１が露出することになる。これにより、空気への直接熱伝達効果を大幅に向上することが可能となる。
【００３４】
図５に示すように、ソレノイド２０１は、ボビン２０１ａに対してコイル巻線２０１ｂを巻回してなるものであり、ヨーク２００の内側の空室内に収納されている。ボビン２０１ａの両端は、図示せぬ駆動回路と接続されており、これによりコイル巻線２０１ｂに駆動電流が供給されるようになっている。また、ボビン２０１ａの上方側のフランジ部２０１ｃは、下方側のフランジ部２０１ｄよりも肉厚が小さくなされており、これによりコイル巻線２０１ｂに駆動電力が供給されることにより発生する熱がフランジ部２０１ｃの上部側に伝達しやすくなっている。
【００３５】
プランジャ２０２は、その胴部２０２ａがヨーク２００の下面の貫通穴２００ｂを介してボビン２０１ａの貫通穴に挿通されている。このプランジャ２０２の胴部２０２ａの上面にはシャフト２０２ｂが起立している。このシャフト２０２ｂは、ヨーク２００の上面の貫通穴２００ａから突出させられており、その先端部にはプランジャヘッド２０２ｃが取り付けられている。
【００３６】
高熱伝導部材２１０は、フランジ部２０１ｃと上部ヨーク２２０との間に配置される熱吸収部２１０ａと、熱吸収部２１０ａの端部（ヨーク２００の背面側）から上方に屈曲して鍵１の後端側に延在する放熱部（延出部）２１０ｂとを有している。ここで、図７は高熱伝導部材２１０のみを示す斜視図である。同図に示すように、高熱伝導部材２１０は、鍵１の配列方向に延在する部材であり、熱吸収部２１０ａには千鳥状に配置されるソレノイド２０１に対応して貫通穴２１１が形成されている。この貫通穴２１１に各ソレノイド２０１が挿通させられるように配置されると、熱吸収部２１０ａにおける貫通穴２１１の周囲にフランジ部２０１ｃが接触した状態となり（図５参照）、これによりフランジ部２０１ｃから熱吸収部２１０ａに熱が直接伝達されるようになっている。この際、上述したようにヨーク２００の背面側から放熱部２１０ｂが延出しているので、高熱伝導部材２１０の熱伝導効果を大幅に向上させることができる。
【００３７】
ここで、高熱伝導部材２１０は、フランジ部２０１ｃ等から伝達される熱、つまりソレノイド２０１に駆動電流が供給されることにより発生する熱の多くを放熱する部材であり、ヨーク２００（鉄、熱伝達率ｋ＝４７〜５８Ｗ／（ｍ・ｋ））よりも熱伝導性の良い材質のものが用いられる。このような高熱伝導部材２１０としては、ジュラルミン（熱伝達率ｋ＝１２９Ｗ／（ｍ・ｋ））、金（熱伝達率ｋ＝３１０Ｗ／（ｍ・ｋ））、銀（熱伝達率ｋ＝４０７Ｗ／（ｍ・ｋ））、銅（熱伝達率ｋ＝３８４Ｗ／（ｍ・ｋ））、アルミニウム（熱伝達率ｋ＝２０９Ｗ／（ｍ・ｋ））、およびリチウム（熱伝達率ｋ＝３０１Ｗ／（ｍ・ｋ））などを用いることができるが、コストや比重などを考慮し、アルミニウムを用いることが好ましい。このようにヨーク２００よりも熱伝導性の良いものを用いることにより、ソレノイド２０１の発生する熱の多くを高熱伝導部材２１０に伝達することができる。
【００３８】
また、ソレノイド２０１の発生した熱の多くを熱吸収部２１０ａに伝達するために、フランジ部２０１ｃと熱吸収部２１０ａの接触面積を大きくすることが好ましい。すなわち、ボビン２０１ａに巻回されるコイル巻線２０１ｂの断面積を可能な限り大きくするようにすればよい。このようにすることによる効果について図８（ａ），（ｂ）を用いて説明する。ここで、図８（ａ），（ｂ）は、プランジャ２０２を駆動することが可能なソレノイドの寸法例を示した図である。同図に示されるように、ソレノイド２０１の断面積が大きくなれば、コイル長さが減少することが分かる。図８（ｂ）に示した例のソレノイドを用いれば、図８（ａ）に示したソレノイドを用いた場合よりも熱吸収部２１０ａとの接触面積が大きくなるので熱吸収部２１０ａにより多くの熱を伝達することが可能となるとともに、コイル長さが減少するので熱発生源の中心であるソレノイド２０１の中心からの空気への熱放散を減少させることができ、より多くの熱を熱吸収部２１０ａに伝達することができる。従って、図８（ｂ）に示したような熱吸収部２１０ａとの接触面積が大きく、かつコイル長の小さいソレノイド２０１を用いれば、ソレノイド２０１の発生した熱をより多く熱吸収部２１０ａに伝達することができる。
【００３９】
ここで、図９（ａ）は従来の高熱伝導部材２１０を有しないソレノイドユニットの放熱系の等価回路を示し、図９（ｂ）は本実施形態に係るソレノイドユニット２０３の放熱系の等価回路を示す。図９（ａ），（ｂ）に示すように、本実施形態に係るソレノイドユニット２０３では、従来のソレノイドユニットに熱抵抗ＲBSおよびＲSaが並列に加わった回路となる。ここで、上述したように高熱伝導部材２１０は熱伝導性がよいものであるため、ＲBTおよびＲTYaや、ＲBBおよびＲBYaよりも抵抗値が低く、熱源Ｑ（ソレノイド２０１）の発する熱がＲBTSおよびＲSa、つまり高熱伝導部材２１０に流れやすくなり、ソレノイド２０１の発生する熱の多くが熱吸収部２１０ａに伝達される。また、図９（ａ）に示した従来のソレノイドの放熱系では、ソレノイド周囲の空気が滞留するため、ソレノイド／空気間の熱抵抗Ｒcaは極めて小さく、冷却効果がほとんどない。一方、図９（ｂ）に示した本実施形態に係るソレノイドユニットの放熱系においては、ソレノイドが露出しているので、ソレノイド周囲の空気が循環しやすくなっている。従って、ソレノイド／空気間熱抵抗Ｒcaは大きくなり、十分な冷却効果が得られる。なお、図９において、＊印がつけられたＲTYa、ＲBYa、ＲsaおよびＲcaは熱伝達要素、他は熱伝導要素を示しており、熱輻射要素に関しては省略している。
【００４０】
上述したように熱吸収部２１０ａに伝達された熱の大部分は、図７中矢印で示すように熱吸収部２１０ａから放熱部２１０ｂに伝達され、熱源であるソレノイド２０１から離れた放熱部２１０ｂで拡散される。すなわち、ソレノイド２０１の発生した熱の多くが熱源であるソレノイド２０１から離れた放熱部２１０ｂにおいて放熱される。従って、ソレノイド２０１で発生した熱の多くがソレノイドユニット２０３外部に拡散され、ソレノイドユニット２０３の温度上昇を抑制することができる。
【００４１】
また、図７に示すように、高熱伝導部材２１０の屈曲部には、貫通部２１２が所定間隔毎に形成されている。このような貫通部２１２を設けることにより、貫通部２１２に空気を流通させて高熱伝導部材２１０の放熱性をさらに向上させ、これにより熱吸収部２１０ａに伝達された熱をより効率よく外部に拡散させることができる。また、放熱部２１０ｂがソレノイド２０１の上方に位置しているため、放熱部２１０ｂにより熱せられた空気がソレノイド２０１付近に滞留することがない。さらに、ソレノイドユニット２０３を鍵１の後端部に設けているため、放熱部２１０ｂをソレノイド２０１の上方に延在させても放熱部２１０ｂと鍵１とが当接することを避けることができ、放熱部２１０ｂの面積を大きくして放熱効果を高めることができる。
【００４２】
この構成の下、第１実施形態と同様に演奏データに基づいてソレノイドユニット２０３が駆動されて自動演奏が行われた場合には、ソレノイド２０１に駆動電流が供給されることにより、ソレノイド２０１にジュール熱が発生する。このように発生したジュール熱の多くは、上述したようにフランジ部２０１ｃから直接的に高熱伝導部材２１０に伝達され、ソレノイドユニット２０３の外部に拡散される。従って、同音連打が続いたり、部分的に同じフレーズを繰り返し演奏するような場合でも、ソレノイドユニット２０３内部の温度が異常に上昇することはなく、演奏が中断されることはない。また、ソレノイド２０１の焼損も未然に防ぐことができる。
【００４３】
Ｃ．変形例
なお、本発明は、上述した第１および第２実施形態に限定されるものではなく、以下のような種々の変形が可能である。
【００４４】
（１）上述した第２実施形態においては、高熱伝導部材２１０の熱吸収部２１０ａがフランジ部２０１ｃと上部ヨーク２２０との間に配置されていたが、フランジ部２０１ｄと下部ヨーク２２１との間に高熱伝導部材２１０を配置するようにしてもよい。また、図１０および図１１に示すように、フランジ部２０１ｃと上部ヨーク２２０の間、およびフランジ部２０１ｄと下部ヨーク２２１の間の両方に熱吸収部２１０ａを配置するようにしてもよい。この場合、図示のように各々の熱吸収部２１０ａから延出する放熱部２１０ｂをヨーク２００の上方で結合させるようにすればよい。このようにソレノイド２０１の上下に熱吸収部２１０ａを配置することにより、ソレノイド２０１の発生する熱をより多く各熱吸収部２１０ａに伝達することができ、ソレノイド２０１外部への拡散性をさらに向上させることができる。
【００４５】
また、図１２に示すように、上部ヨーク２２０の上面の上に熱吸収部２１０ａを配置させるようにしてもよい。このように熱吸収部２１０ａを配置した場合にも、ソレノイド２０１の発生した熱の多くが上部ヨーク２２０を介して熱吸収部２１０ａに伝達され、上述した第２実施形態と同様に高熱伝導部材２１０において放熱される。ここで、図示したヨーク２００は、上述した第２実施形態と同様に背面側が開放した形状となっているが、背面側の部分を省略しない、つまり断面形状がロ字状のヨークを用いるようにしてもよい。
【００４６】
（２）また、上述したように上部ヨーク２２０の上面に熱吸収部２１０ａを配置した場合には、図１３および図１４に示すように、熱吸収部２１０ａ上に鍵１の配列方向に沿ってヒートパイプ３２０を設けるようにしてもよい。この場合、ヒートパイプ３２０を支持する支持部材３２１としては、アルミニウムなどの熱伝導性のよいものを使用すればよい。通常、ピアノ等の鍵盤楽器においては、鍵盤の中央部付近の鍵が使用されることが多く、自動演奏の場合も同様であるため、鍵盤の中央付近が熱の発生源となることが多い。上述したようにヒートパイプ３２０を鍵１の配列方向に沿って設けるようにすれば、鍵盤の中央付近で発生した熱が鍵１の後端側である図１５中矢印Ｙ方向だけでなく、ヒートパイプ３２０によって鍵１の配列方向である矢印Ｘ方向にも熱が伝達される。これにより、実質的な放熱面積を鍵１の配列方向に拡大することが可能となり、熱の拡散性が向上する。従って、ソレノイドユニット２０３の温度上昇等を抑制することができる。
【００４７】
（３）また、上述した第２実施形態においては、鍵１の後端部側に放熱部２１０ｂが延在するようにしていたが、図１６に示すように、放熱部（延出部）２１０ｂを下方側に屈曲させて棚板２の下方に延出させるようにしてもよい。このようにした場合にも、上述した第２実施形態と同様にソレノイド２０１から熱吸収部２１０ａに伝達された熱が、棚板２に延出した放熱部２１０ｂにおいて効率よく拡散される。また、上述した第２実施形態よりも放熱部２１０ｂを大きくすることが可能となり、放熱面積を拡大することができる。
【００４８】
【発明の効果】
以上説明したように、本発明によれば、プランジャと、前記プランジャをほぼ垂直方向に移動させるソレノイドを有し、前記プランジャにより複数の鍵に対してそれぞれ打鍵を行う複数のソレノイドユニットとを具備する自動演奏装置において、ユニット外部へ熱を拡散することができ、ソレノイドユニット内部における熱の滞留を回避することができる。
【図面の簡単な説明】
【図１】  この発明の第１実施形態である自動演奏ピアノを示す断面図である。
【図２】  同実施形態における自動演奏装置の構成を示す斜視図である。
【図３】  同実施形態におけるソレノイドユニットを鍵から見た平面図、及び平面図のＩ−Ｉ’線視断面図である。
【図４】  同実施形態における自動演奏装置の構成の変形例を示す斜視図である。
【図５】  この発明の第２実施形態に係る自動演奏ピアノを示す断面図である。
【図６】  第２実施形態における自動演奏装置の構成を示す斜視図である。
【図７】  第２実施形態における自動演奏装置の構成要素である高熱伝導部材を示す斜視図である。
【図８】  第２実施形態における自動演奏装置の構成要素であるソレノイドの寸法例を示す図である。
【図９】  （ａ）は従来のソレノイドユニットの放熱系の等価回路を示す図であり、（ｂ）は第２実施形態に係るソレノイドユニットの放熱系の等価回路を示す図である。
【図１０】  第２実施形態における自動演奏装置の変形例を示す断面図である。
【図１１】  第２実施形態における自動演奏装置の変形例の構成要素である高熱伝導部材を示す斜視図である。
【図１２】  第２実施形態における自動演奏装置の他の変形例を示す断面図である。
【図１３】  第２実施形態における自動演奏装置のさらに他の変形例を示す断面図である。
【図１４】  第２実施形態における自動演奏装置のさらに他の変形例の構成要素である高熱伝導部材を示す斜視図である。
【図１５】  第２実施形態における自動演奏装置のさらに他の変形例による放熱の様子を説明するための図である。
【図１６】  第２実施形態に係る自動演奏装置のさらにその他の変形例を示す断面図である。
【符号の説明】
１００・・・ヨーク            １０１・・・ソレノイド
１０２・・・プランジャ        ３・・・ソレノイドユニット
８０・・・支持体              Ａ・・・熱伝導性の良い物質
Ｐ・・・自動演奏装置          Ｐ２・・・自動演奏装置
２００・・・ヨーク            ２０１・・・ソレノイド
２１０・・・高熱伝導部材      ３２０・・・ヒートパイプ
【図１】
0003991506.tif 000002
【図２】
0003991506.tif 000003
【図３】
0003991506.tif 000004
【図４】
0003991506.tif 000005
【図５】
0003991506.tif 000006
【図６】
0003991506.tif 000007
【図７】
0003991506.tif 000008
【図８】
0003991506.tif 000009
【図９】
0003991506.tif 000010
【図１０】
0003991506.tif 000011
【図１１】
0003991506.tif 000012
【図１２】
0003991506.tif 000013
【図１３】
0003991506.tif 000014
【図１４】
0003991506.tif 000015
【図１５】
0003991506.tif 000016
【図１６】
0003991506.tif 000017